(57)【要約】【課題】本発明は、搬送、保管、組付け作業等においてフェルールが損傷を受けることがなく、フェルールの加工速度も早く、さらに、部品としての取扱い時にフェルールを紛失することの恐れがない食い込み式管接続構造を提供する。【解決手段】本発明に係る食い込み式管接続構造は、継手本体１と、継手本体１に螺合される結合部材２と、フェルール３とを備えており、フェルール３を結合部材２の管接続部２３の継手本体側に位置させ、フェルール３を覆うように管接続部２３に対し保護部材を着脱可能とする。保護部材としては、配管が接続されていないときに配管差込口１６を閉塞する仕切り蓋４を兼用させることができる。仕切り蓋４は、例えば、内部にフェルール３を収納できる空間を有する円筒壁部４２、円筒壁部４２の一端を閉塞するとともに継手本体１の配管差込口１６を閉塞する閉塞壁部４１を有するものである。【選択図】図１
2010025294.tif 000002
【特許請求の範囲】
【請求項１】
継手本体と、継手本体に螺合されて組み付けされる結合部材と、継手本体と結合部材との間に挟着されるフェルールと、フェルールを覆ってフェルールを結合部材から脱落しないように結合部材との間に保持するとともに、結合部材の継手本体側端部に対し脱着可能に構成された保護部材とを備え、
前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、
前記結合部材は、前記雌ねじ部に螺合される雄ねじ部が外周に形成された管接続部と、管接続部の側面に形成されたフェルールの後端部を押圧する押圧面とを有するとともに、前記保護部材を取り付けたまま継手本体に螺合可能に構成され、
前記フェルールは、前記保護部材が結合部材に取り付けられている状態において仕切り蓋の内部に脱落しないように保持される
ことを特徴とする食い込み式管接続構造。
【請求項２】
継手本体と、継手本体に螺合されて組み付けされる結合部材と、継手本体と結合部材との間に挟着されるフェルールと、継手本体と結合部材との間に挟持される仕切り蓋とを備え、
前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、
前記結合部材は、前記雌ねじ部に螺合される雄ねじ部が外周に形成された管接続部と、管接続部の側面に形成されたフェルールの後端部を押圧する押圧面とを有し、
前記仕切り蓋は、前記フェルールを保持することのできる空間を内部に有する円筒壁部と、この円筒壁部の一端を閉塞するとともに前記配管差込口を閉塞する閉塞壁部とを有するとともに、前記円筒壁部の反閉塞壁部側の端部が前記管接続部の側部に対し脱着可能に構成され、
前記フェルールは、仕切り蓋が結合部材に取り付けられている状態において仕切り蓋の内部に脱落しないように保持される
ことを特徴とする食い込み式管接続構造。
【請求項３】
前記フェルールは、結合部材に対し別体物として形成されたものであって、結合部材に仮保持されて一体化されていることを特徴とする請求項１又は２記載の食い込み式管接続構造。
【請求項４】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成され、前記円筒壁部における反閉塞壁部側の端部がこの突出部の内側に圧入されるように構成されている
ことを特徴とする請求項３記載の食い込み式管接続構造。
【請求項５】
前記仕切り蓋の円筒壁部は、前記円筒壁部における反閉塞壁部側の端部の外周面に、軸方向に延びる１個或いは複数の線状突起又は１個或いは複数の突起が形成されていることを特徴とする請求項４記載の食い込み式管接続構造。
【請求項６】
前記管接続部の円筒状の突出部は、内周面に軸方向に延びる１個或いは複数の線状突起又は１個或いは複数の突起が形成されていることを特徴とする請求項４記載の食い込み式管接続構造。
【請求項７】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成され、この円筒状の突出部が前記円筒壁部における反閉塞壁部側の端部の内側に圧入されるように構成されている
ことを特徴とする請求項３記載の食い込み式管接続構造。
【請求項８】
前記仕切り蓋の円筒壁部は、前記円筒壁部における反閉塞壁部側の端部の内周面に軸方向に延びる１個或いは複数の線状突起又は１個或いは複数の突起が形成されていることを特徴とする請求項７記載の食い込み式管接続構造。
【請求項９】
前記管接続部の円筒状の突出部は、外周面に軸方向に延びる１個或いは複数の線状突起又は１個或いは複数の突起が形成されていることを特徴とする請求項７記載の食い込み式管接続構造。
【請求項１０】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の内周面には雌ねじが形成され、
さらに、前記円筒壁部における反閉塞壁部側の端部の外周面には、前記円筒状の突出部の開口端部の雌ねじに螺合される雄ねじが形成されている
ことを特徴とする請求項３記載の食い込み式管接続構造。
【請求項１１】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の外周面には雄ねじが形成され、
さらに、前記円筒壁部における反閉塞壁部側の端部の内周面には、前記円筒状の突出部の開口端部の雄ねじに螺合される雌ねじが形成されている
ことを特徴とする請求項３記載の食い込み式管接続構造。
【請求項１２】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の開口端部に内向きの環状突部が形成され、
さらに、前記円筒壁部における反閉塞壁部側の端部には、この内向きの環状突部に対し圧入される外向きの環状突部が形成されている
ことを特徴とする請求項３記載の食い込み式管接続構造。
【請求項１３】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の開口端部に内向きの環状突部が形成され、さらに、この内向きの環状突部の内周端面に雌ねじが形成され、
また、前記円筒壁部における反閉塞壁部側の端部には、外向きの環状突部が形成されるとともに、この外向きの環状突部の外周端面に前記内向きの環状突部の内周端面に形成された雌ねじに螺合する雄ねじが形成されている
ことを特徴とする請求項３記載の食い込み式管接続構造。
【請求項１４】
前記管接続部に対し前記円筒壁部の反閉塞壁部側の端部が脱着可能とされる構成として、
前記管接続部には、所定円周上に複数の軸方向孔が形成され、
さらに、前記円筒壁部は、前記結合部材側の端部から結合部材に向けて軸方向に延びる複数の脚部材を有し、この脚部材は前記軸方向孔に嵌入されるように構成されている
ことを特徴とする請求項３記載の食い込み式管接続構造。
【請求項１５】
前記フェルールは、前記管接続部の継手本体側端部に一体物として形成されるとともに、配管接続工程において前記管接続部から分離されるように構成されていることを特徴とする請求項１〜１４の何れか１項に記載の食い込み式管接続構造。
【請求項１６】
前記フェルールは、前記結合部材及び継手本体に対し別体物として形成されるともに、前記管接続部に対し仮保持可能に構成されていることを特徴とする請求項１〜１３の何れか１項に記載の食い込み式管接続構造。
【請求項１７】
請求項１〜１６の何れか１項に記載の管接続構造を管継手部に用いた弁。
【請求項１８】
請求項１〜１６の何れか１項に記載の管接続構造を管継手部に用いた食い込み式管継手。
【請求項１９】
請求項１７記載の弁を冷媒回路に用いたことを特徴とする冷凍装置。
【請求項２０】
請求項１８記載の食い込み式管継手を冷媒回路に用いたことを特徴とする冷凍装置。
【発明の詳細な説明】
【技術分野】
【０００１】
本発明は、食い込み式管接続構造に関し、特に、継手本体と結合部材との間に挟持されるフェルールを備えた食い込み式管管接続構造に関する。また、本発明は、このような食い込み式管接続構造を用いた弁、食い込み式管継手及び冷凍装置に関する。
【背景技術】
【０００２】
冷凍装置の冷媒配管、温水装置の給湯配管や給水配管などの配管システムにおいて、配管を接続しようとする装置、即ち、接続すべき配管の接続対象である被接続装置に取り付けられる継手本体と、接続すべき配管に外装された状態で継手本体に螺合されて組み付けられる結合部材とを備えた食い込み式管継手が用いられている。このような食い込み式管継手としては、例えば、特許文献１に記載のように結合部材や継手本体とは別体に形成され、独立型のフェルールとして組み付けられるものが多用されていた。しかし、このものは、フェルールを独立部品として取り扱う場合にはフェルールが小さな部品であるため取り扱いが難しく、組み付け作業の能率が悪い、紛失の恐れがある、搬送、保管、組み付け作業等の取り扱い時に損傷されやすいなどの問題があった。
【０００３】
このため、フェルールと結合部材とを一体物として加工し、結合部材が継手本体に締結される配管接続工程においてフェルールを結合部材から分離独立させ、それ以降の配管接続工程においてフェルールを従来の独立型のフェルールと同様に機能させることにより、独立型のフェルールを使用した場合と同様に配管接続が行われるものが開発されている。このようなものとしては、例えば、特許文献２や特許文献３に記載のように、フェルールを筒状ナット形状の結合部材の内部に設けたものがある。また、特許文献４のように、内周面に雌ねじを有する筒状部材として形成された継手本体に対し、外周面に継手本体の雌ねじに螺合する雄ねじ部を有する棒状部材として形成されるとともに、この棒状部材の先端から突出するようにフェルールが一体化された結合用部材を螺合させるものがある。
【特許文献１】特開２００３−７４７６８号公報、図５
【特許文献２】特表２００４−５２６９１１号公報
【特許文献３】特開２００７−１６２９２８号公報、図４〜図６
【特許文献４】米国特許第４０２２４９７号明細書
【発明の開示】
【発明が解決しようとする課題】
【０００４】
特許文献２及び特許文献３に記載のものでは、フェルールが筒状部材の奥の方に形成されるため、搬送、保管、組付け作業等においてフェルールが損傷される心配がない。しかしながら、このものでは、フェルールを筒状部材の奥の方において加工する必要があるため、加工が難しく、加工速度が低下するという問題があった。
【０００５】
これに対し、特許文献４のものでは、フェルールが棒状部材である結合部材の先端から突出して形成されているため加工が容易になるという利点があった。しかしながら、このものでは、フェルールが結合部材の外側に露出された状態となっているため、搬送、保管、組付け作業等において損傷され易いという問題があった。
【０００６】
本発明は、従来技術に存在するこのような問題点に着目してなされたものであって、搬送、保管、組付け作業等においてフェルールが損傷を受けることがなく、フェルールの加工速度も早く、さらに、部品としての取扱いにおいてフェルールを紛失することの恐れがない食い込み式管接続構造を提供することを目的とする。また、本発明は、このような食い込み式管接続構造を用いた弁、食い込み式管継手及び冷凍装置を提供することを目的とする。
【課題を解決するための手段】
【０００７】
本発明に係る食い込み式管接続構造は、継手本体と、継手本体に螺合されて組み付けされる結合部材と、継手本体と結合部材との間に挟着されるフェルールと、フェルールを覆ってフェルールを結合部材から脱落しないように結合部材との間に保持するとともに、結合部材の継手本体側端部に対し脱着可能に構成された保護部材とを備え、前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、前記結合部材は、前記雌ねじ部に螺合される雄ねじ部が外周に形成された管接続部と、管接続部の側面に形成されたフェルールの後端部を押圧する押圧面とを有するとともに、前記保護部材を取り付けたまま継手本体に螺合可能に構成され、前記フェルールは、前記保護部材が結合部材に取り付けられている状態において仕切り蓋の内部に脱落しないように保持されることを特徴とする。
【０００８】
このような構成上の特徴を有する食い込み式管接続構造によれば、フェルールは、保護部材が結合部材に取り付けられている限り、保護部材により結合部材から脱落しないように保持されているので、結合部材と一体化された状態で部品として取扱うことができる。また、このような状態で部品として取り扱うと、搬送、保管、組付け作業等において損傷を受けることがなく、フェルールを紛失することの恐れもない。また、フェルールは、この発明においては結合部材と一体物として加工されたものでもよく、或いは、結合部材と別体物として加工されたものでもよく、いずれの場合にあっても狭いところでの加工が不要となるので、加工速度が速くなる。また、フェルールは、結合部材と別体物として加工された場合にあっては、１個の部材、或いは、複数の部材から構成されるものでよい。
【０００９】
また、本発明に係る食い込み式管接続構造は、継手本体と、継手本体に螺合されて組み付けされる結合部材と、継手本体と結合部材との間に挟着されるフェルールと、継手本体と結合部材との間に挟持される仕切り蓋とを備え、前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、前記結合部材は、前記雌ねじ部に螺合される雄ねじ部が外周に形成された管接続部と、管接続部の側面に形成されたフェルールの後端部を押圧する押圧面とを有し、前記仕切り蓋は、前記フェルールを保持することのできる空間を内部に有する円筒壁部と、この円筒壁部の一端を閉塞するとともに前記配管差込口を閉塞する閉塞壁部とを有するとともに、前記円筒壁部の反閉塞壁部側の端部が前記管接続部の側部に対し脱着可能に構成され、前記フェルールは、仕切り蓋が結合部材に取り付けられている状態において仕切り蓋の内部に脱落しないように保持されることを特徴とする。
【００１０】
このような構成上の特徴を有する食い込み式管接続構造によれば、フェルールは、仕切り蓋が結合部材に取り付けられている限り、仕切り蓋により結合部材から脱落しないように保持されているので、結合部材と一体化された状態で部品として取扱うことができる。また、このような状態で部品として取り扱うと、搬送、保管、組付け作業等において損傷を受けることがなく、フェルールを紛失することの恐れもない。また、フェルールは、この発明においては結合部材と一体物として加工されたものでもよく、或いは、結合部材と別体物として加工されたものでもよく、いずれの場合にあっても狭いところでの加工が不要となるので、加工速度が速くなる。また、フェルールは、結合部材と別体物として加工された場合にあっては、１個の部材、或いは、複数の部材から構成されるものでよい。
【００１１】
また、上記何れの食い込み式管接続構造においても、前記フェルールは、結合部材と別体物として形成されたものであって、結合部材に仮保持されて一体化されているようにしてもよい。この場合においては、結合部材と一体化された部品とし取り扱うことがより容易になる。
【００１２】
また、前記管接続部に対し前記円筒壁部の反閉塞壁部側の端部が脱着可能とされる構成として、前記管接続部の継手本体側端部における外周部には、継手本体側の側面から継手本体側に突出する円筒状の突出部が形成され、前記円筒壁部における反閉塞壁部側の端部がこの突出部の内側に圧入されるように構成してもよい。このように構成すれば、仕切り蓋の取付は、仕切り蓋の軸心と結合部材の軸心とを芯合わせして、円筒壁部の反閉塞壁部側の端部を結合部材の円筒状の突出部に向けて押圧することにより、結合部材に対し仕切り蓋を容易に装着することができる。
【００１３】
また、この場合において、前記仕切り蓋の円筒壁部は、前記円筒壁部における反閉塞壁部側の端部の外周面に、軸方向に延びる１個或いは複数の線状突起又は１個或いは複数の突起が形成されているようにしてもよい。このようにすれば、仕切り蓋を結合部材に対して押圧するときに、線状突起或いは突起の端部が変形されて圧入されるので、線状突起或いは突起の形状、寸法、個数を適宜に設定することにより圧入作業が容易になるとともに、適正な装着強度を確保することができる。
【００１４】
また、上記のように、円筒壁部における反閉塞壁部側の端部の外周面に線状突起或いは突起を形成することに代えて、前記管接続部の円筒状の突出部は、内周面に軸方向に延びる１個或いは複数の線状突起又は１個或いは複数の突起が形成されているようにしてもよい。この場合も、前述の場合と同様に、この管接続部の円筒状の突出部の内周面に形成される線状突起或いは突起の形状、寸法、個数を適宜に設定することにより圧入作業が容易になるとともに、適正な装着強度を確保することができる。
【００１５】
また、前記管接続部に対し前記円筒壁部の反閉塞壁部側の端部が脱着可能とされる構成として、前記管接続部の継手本体側端部における外周部には、継手本体側の側面から継手本体側に突出する円筒状の突出部が形成され、この円筒状の突出部が前記円筒壁部における反閉塞壁部側の端部の内側に圧入されるように構成してもよい。このようにしても前述の構成の場合と同様に、仕切り蓋の軸心と結合部材の軸心とを芯合わせして、円筒壁部の反閉塞壁部側の端部を結合部材の円筒状の突出部に向けて押圧することにより、仕切り蓋を簡易に装着することができる。
【００１６】
また、この場合において、前記仕切り蓋の円筒壁部は、前記円筒壁部における反閉塞壁部側の端部の内周面に軸方向に延びる１個或いは複数の線状突起又は１個或いは複数の突起が形成されているようにしてもよい。このようにすれば、線状突起或いは突起の形状、寸法、個数を適宜に設定することにより圧入作業が容易になるとともに、適正な装着強度を確保することができる。
【００１７】
また、このように仕切り蓋の円筒壁部における反閉塞壁部側の端部の内周面に１個或いは複数の線状突起又は１個或いは複数の突起を形成することに代えて、前記管接続部の円筒状の突出部は、外周面に軸方向に延びる１個或いは複数の線状突起又は１個或いは複数の突起が形成されているようにしてもよい。このようにすれば、線状突起或いは突起の形状、寸法、個数を適宜に設定することにより圧入作業が容易になるとともに、適正な装着強度を確保することができる。
【００１８】
また、前記管接続部に対し前記円筒壁部の反閉塞壁部側の端部が脱着可能とされる構成として、前記管接続部の継手本体側端部における外周部には、継手本体側の側面から継手本体側に突出する円筒状の突出部が形成されるとともに、この円筒状の突出部の内周面には雌ねじが形成され、さらに、前記円筒壁部における反閉塞壁部側の端部の外周面には、前記円筒状の突出部の開口端部の雌ねじに螺合される雄ねじが形成されているようにしてもよい。このように構成した場合は、管接続部の円筒状の突出部の雌ねじに対し仕切り蓋の円筒壁部の端部に形成された雄ねじを螺合することにより、結合部材に対し仕切り蓋を容易に装着することができる。
【００１９】
また、前記管接続部に対し前記円筒壁部における反閉塞壁部側の端部が脱着可能とされる構成として、前記管接続部の継手本体側端部における外周部には、継手本体側の側面から継手本体側に突出する円筒状の突出部が形成されるとともに、この円筒状の突出部の外周面には雄ねじが形成され、さらに、前記円筒壁部における反閉塞壁部側の端部の内周面には、前記円筒状の突出部の開口端部の雄ねじに螺合される雌ねじが形成されているようにしてもよい。このように構成した場合は、管接続部の円筒状の突出部の雄ねじに対し仕切り蓋の円筒壁部の端部に形成された雌ねじを螺合することにより、結合部材に対し仕切り蓋を容易に装着することができる。
【００２０】
また、前記管接続部に対し前記円筒壁部における反閉塞壁部側の端部が脱着可能とされる構成として、前記管接続部の継手本体側端部における外周部には、継手本体側の側面から継手本体側に突出する円筒状の突出部が形成されるとともに、この円筒状の突出部の開口端部に内向きの環状突部が形成され、さらに、前記円筒壁部における反閉塞壁部側の端部には、この内向きの環状突部に対し圧入される外向きの環状突部が形成されているようにしてもよい。このように構成することにより、仕切り蓋の軸心と結合部材の軸心とを芯合わせして、円筒壁部の反閉塞壁部側の端部を結合部材の円筒状の突出部に向けて押圧することにより、結合部材に対し仕切り蓋を容易に装着することができる。
【００２１】
また、このように円筒状の突出部の開口端部に内向きの環状突部に対し仕切り蓋の円筒壁部における反閉塞壁部側の端部に設けられた外向きの環状突部を圧入することに代えて、前記内向きの環状突部の内周端面に雌ねじが形成されるとともに、前記外向きの環状突部の外周端面に前記内向きの環状突部の内周面に形成された雌ねじに螺合する雄ねじが形成されているようにしてもよい。このように構成した場合は、前記内向きの環状突部の内周端面の雌ねじに対し前記外向きの環状突部の外周端面の雄ねじを螺合することにより、結合部材に対し仕切り蓋を容易に装着することができる。
【００２２】
また、前記管接続部に対し前記円筒壁部における反閉塞壁部側の端部が脱着可能とされる構成として、前記管接続部には、所定円周上に複数の軸方向孔が形成され、さらに、前記円筒壁部は、前記結合部材側の端部から結合部材に向けて軸方向に延びる複数の脚部材を有し、この脚部材は前記軸方向孔に嵌入されるように構成してもよい。このように構成すると、仕切り蓋の円筒壁部の端部から軸方向に延びる複数の脚部材を管接続部の複数の軸方向孔に対し嵌入させることにより、仕切る蓋を結合部材に装着することができる。
【００２３】
上記の管接続構造において、前記フェルールは、前記管接続部の継手本体側端部に一体物として形成されるとともに、配管接続工程において前記管接続部から分離されるように構成してもよい。この場合も、仕切り蓋はフェルールを覆うように取り付けられるので、仕切り蓋によりフェルールの損傷を防ぐことができる。
【００２４】
また、前記フェルールは、前記結合部材及び継手本体に対し別体物として形成されるともに、前記管接続部に対し仮保持可能に構成されているようにしてもよい。この場合も、フェルールが結合部材に仮保持された後に仕切り蓋を装着することにより、仮保持されたフェルールの損傷を防ぐことができる。
【００２５】
また、本発明に係る弁及び管継手は、上記何れかの管接続構造が管継手部に用いられていることを特徴とする。このような弁、管継手は、フェルールの加工性及び取付作業性が良くなるのでコスト軽減が図れるとともに、部品段階における搬送、保管、組付け作業等においてフェルールの損傷を防ぐことができ、品質を安定にすることができる。
【００２６】
また、本発明に係る冷凍装置は、これら弁或は管継手を冷媒回路に用いたことを特徴とする。したがって、本発明に係る冷凍装置は、上記のような弁、管継手を用いているので、冷媒回路に用いる弁や管継手のコストを軽減することができるとともに、弁や管継手の品質を安定にすることができる。
【発明の効果】
【００２７】
本発明に係る食い込み式管継手によれば、フェルールが、保護部材或いは保護部材としての仕切り蓋により結合部材から脱落しないように保持されているので、結合部材と一体化された状態で部品として取扱うことができる。また、このような状態で部品として取り扱うと、搬送、保管、組付け作業等において損傷を受けることがなく、フェルールを紛失することの恐れもない。
【発明を実施するための最良の形態】
【００２８】
（実施の形態１）
以下、本発明の実施の形態１に係る食い込み式管接続構造について、図面に基づき説明する。
【００２９】
本実施の形態に係る管接続構造は、空気調和機などの冷凍装置の分野において、冷媒回路中の食い込み式管継手における管継手部に適用される他、分離型空気調和機の室外機における室内外連絡配管を接続する閉鎖弁の管継手部などに適用される。図１は、このような管接続構造を管継手部に採用した食い込み式管継手の部分断面図であって、配管を接続しないときに、仕切り蓋を取り付けた状態図である。図２は、同食い込み式管接続構造において、結合部材に対しフェルールを一体化するとともに、このフェルールを覆うように仕切り蓋が取り付けられた状態図である。図３は、同食い込み式管継手の断面図であって、配管接続開始時の状態図である。
【００３０】
本実施の形態に係る食い込み式管接続構造は、図１〜図３に示すように、配管Ｐを接続しようとする被接続側装置に取り付けられる継手本体１と、継手本体１に螺合されて組み付けされる結合部材２と、継手本体１及び結合部材２とは別体に形成されるとともに、継手本体１と結合部材２との間に挟持されるフェルール３とを備えている。また、この食い込み式管継手は、配管Ｐが接続されないときには、後述する配管差込口１６を閉蓋する樹脂成形製の仕切り蓋４が継手本体１と結合部材２とに挟持されるように取り付けられている。なお、この実施の形態において、仕切り蓋４は、フェルール３の外周面が損傷されないように保護する保護部材として機能する。また、本明細書の説明において前後の方向をいうときは、継手本体１側、例えば、図１における継手本体側、すなわち、図１における左側を前側とし、結合部材２側、すなわち、図１における右側を後側とする。
【００３１】
継手本体１は、黄銅製であって、前述の図１〜図３、及び、継手本体の単体図面である図４に示すように、基部１１の前側にソケット部１２が形成されるとともに、基部１１の外周部の後側に雌ねじ筒部１３が形成され、さらに、基部１１の軸心部の後側に、雌ねじ筒部１３内の空間部に突出する軸部１４が形成されている。雌ねじ筒部１３の内周面には、結合部材２の螺合部としての雌ねじ部１３ａが形成されている。軸部１４の外周面には、配管接続時に軸部１４の強度を調節するための環状空間部１５が形成されている。また、この環状空間部１５の基端部には内部凍結防止用の通気孔１５ａが対角線上に２個形成されている（図４（ａ）及び（ｂ）参照）。
【００３２】
基部１１及び雌ねじ筒部１３の外形は、一体的に六角ナット状に形成されている。基部１１から軸部１４にかけての軸心部には配管Ｐを差し込む配管差込口１６が形成され、基部１１からソケット部１２にかけての軸心部には被接続側装置から導出される配管Ｐａを差し込む配管差込口１７が形成されている。また、配管差込口１６と配管差込口１７との間には、連通孔を形成するとともに配管Ｐ及び配管Ｐａの位置規制を行う段部１８が形成されている。段部１８は、配管差込口１６、１７に差し込まれた配管Ｐ，Ｐａの先端部を段部１８の端面に当接させることにより、配管Ｐ，Ｐａの先端位置を一定に保持する。なお、段部１８の前側の端面は、加工時の刃具の外形形状が残されてテーパ状に形成されている。
【００３３】
軸部１４の先端部、すなわち、配管差込口１６の入口部にはカム面１９が形成されている。カム面１９は、前側において配管差込口１６に連なり、後側（結合部材２側）に向けて径が大きくなる円錐状の面に形成されている。また、カム面１９は、入口側、すなわち、後側（結合部材２側）の円錐部の拡がり角度θ１に対し、前側の配管差込口１６に連なる近辺部の拡がり角度θ２が大となるように形成されている（図４（ｂ）参照）。
【００３４】
結合部材２は、黄銅製であって、図１〜図３、及び、結合部材の単体図面である図５に示すように、軸心に配管Ｐを貫通させる配管貫通孔２１が形成されるとともに、結合部材２を二分するように径方向の切れ目を有する円盤状スリット２２が形成されている。そして、円盤状スリット２２の継手本体側に継手本体１に螺合されるとともに配管接続機構を構成する管接続部２３が形成され、円盤状スリット２２の反継手本体側に一般の締結工具で把持可能とするように形成された把持部２４が形成されている。なお、円盤状スリット２２の軸方向の位置は、継手本体１に対し結合部材２が締結されて配管接続作業が完了した状態において、継手本体１の結合部材側端面の位置と略一致するように配置されている（図８参照）。
【００３５】
管接続部２３の外周には、継手本体１の雌ねじ部１３ａに螺合する螺合部としての雄ねじ部２３ａが形成されている。また、把持部２４の外形は、一般の締結工具で把持可能とするように六角ナット状に形成されている。そして、円盤状スリット２２と配管貫通孔２１との間に、薄肉の管状部により管接続部２３と把持部２４とを連結する管状連結部２６が形成されている。管状連結部２６は、把持部２４を締め付ける回転トルクが配管接続完了時の値まで大きくなると切断される強度に設計されている。
【００３６】
管接続部２３の継手本体端部には、フェルール３の後端部を仮保持するための仮保持機構の一部が形成されている。すなわち、管接続部２３の継手本体側端部には凹部２７が形成され（図５（ｂ）参照）、この凹部２７の奥端面がフェルール３を押圧する押圧面２８として形成されている。押圧面２８は、軸心側が後方へ広がる傾斜面に形成されている。そして、この凹部２７の入口には径方向内向きの環状の突部２９が形成されている。この突部２９の端面は、前方に径が大きくなる傾斜面２９ａに形成されている（図２（ｂ）及び図５（ｂ）参照）。この傾斜面２９ａは、後述するフェルール３の後端部に形成される環状の突部３５が圧入され易くなるようにするためのものである。また、この内向きの突部２９と押圧面２８との間に環状の拡径部２９ｂが形成されている。
【００３７】
また、管接続部２３の継手本体端部には、本発明の特徴を成す仕切り蓋４を脱着可能に装着するための機構の一部として、管接続部２３の継手本体側端部における外周部には、継手本体側の側面から継手本体側に突出する円筒状の突出部２５が形成されている。この突出部２５は、後述する仕切り蓋４の円筒壁部４２の端部を内側に嵌入して仕切り蓋４を固定できる程度の長さに形成されている。
【００３８】
また、管接続部２３の反継手本体側の面には、後述する専用工具６０の係合突部６４と係合する係合部として、断面が円形で所定深さの４個の係合穴部５１が形成されている。また、把持部２４には、前記係合穴部５１を把持部２４の反継手本体側から加工可能とするための加工用穴５２が形成されている。この加工用穴５２は、係合穴部５１と相対向する位置に加工されており、図５に示すように、所定円周上において等間隔に４個形成されている。
【００３９】
フェルール３は、黄銅製であって、図１〜図３、及び、フェルールの単体図面である図６に示すように、継手本体１及び結合部材２とは別体に形成された独立のフェルールである。そして、フェルール３は、配管Ｐを挿通させる挿通孔３１が形成された環状物であって、軸方向に切断した断面で見て、前部３２の外周面が先細のテーパ面３３に形成され、さらに、後部３４の外周面が軸心に略平行な円筒状の平行面に形成されている。
【００４０】
前部３２の外周面を成すテーパ面３３は、軸心に対する傾斜角度がカム面１９の後側の円錐部の拡がり角度θ１より小さく形成されている。これにより、フェルール３の先端部が曲げられ易くなり、カム面１９とテーパ面３３との接触面積が大きくなるように形成されている。
【００４１】
また、フェルール３の後端部には、フェルール３の仮保持機構の一部として、径方向外向きの環状の突部３５が形成されている。この突部３５の外周端面は、フェルール３の後部３４の突部３５を結合部材２の拡径部２９ｂに圧入しやすくするために、後方に径が小さくなる傾斜面３５ａに形成されている（図２（ｂ）参照）。この突部３５の最大径部の外径は、前述の結合部材２の径方向内向きの環状の突部２９の最小内径より僅かに大きく形成されており、圧入変形により前記内向きの突部２９を介して拡径部２９ｂに押し込められる。また、突部３５の軸方向寸法は、前述の拡径部２９ｂの軸方向寸法より僅かに小さくなるように形成されている。
【００４２】
フェルール３の仮保持機構は、管接続部２３の継手本体側端面及びフェルール３の後端部において上述のように構成されている。これにより、フェルール３の後端部が結合部材２の継手本体１側側面に形成された凹部２７に対し、着脱自在に、かつ、結合部材２に仮保持されて一体化されたまま搬送可能に、かつ、継手本体１に対し組み付け可能に構成されている。
【００４３】
フェルール３の後端面は、押圧面２８により押圧される受圧面である。また、フェルール３の後端面は、中心側が前方となる傾斜面３４ａが中心軸側に形成され、中心軸に垂直な垂直面３４ｂが外周側に形成されている。また、傾斜面３４ａと挿通孔３１との交差により形成される角部が後エッジ部を形成している。
【００４４】
また、フェルール３には、挿通孔３１の内周面から外周方向に切り込まれた切込部である第１ノッチ３６、第２ノッチ３７が形成されている。第１ノッチ３６は軸方向の先端部に形成され、第２ノッチ３７は軸方向の後よりに形成されている。第１ノッチ３６は、この第１ノッチ３６の前方にある先端部分の変形を容易にするためのものである。第１ノッチ３６は、軸心方向に切断した断面形状が直角三角形であって、後方の切込端面と挿通孔３１との交差により形成される角部が前エッジ部を形成している。
【００４５】
第２ノッチ３７は、軸方向における第１ノッチ３６と後端面との間における後端面よりの位置に形成されている。この第２ノッチ３７は、外周側に短い辺を備えた略三角形状に形成されている。フェルール３は、図２及び図６に示すように、第２ノッチ３７とフェルール３の外周面との間に薄肉部３８が形成されるとともに、後端面に傾斜面３４ａが形成されていることにより、薄肉部３８をヒンジのようにして前後部が軸心側に曲がり易くなっている。この結果、フェルール３の前部３２のテーパ面３３がカム面１９に密着し易くなるとともに、フェルール３の後端に形成される後エッジ部が配管Ｐに食い込み易くなっている。
【００４６】
以上のように形成されるフェルール３は、部品としての搬送及び保管段階において、その後端部が結合部材２に仮保持されて図２のように一体化される。フェルール３をこのように一体化するには、フェルール３の中心軸と結合部材２の中心軸とを芯合せした状態として、フェルール３の後端部を結合部材２の凹部２７に押し付ける。これにより、フェルール３の突部３５の外周端面の傾斜面３５ａと結合部材２の内向き突部２９の内周端面の傾斜面２９ａとが当接し、次いで、フェルール３の後端部が変形されながら圧入される。そして、フェルール３の突部３５が僅かに縮径して、拡径部２９ｂ内に挿入される。突部３５は、拡径部２９ｂに挿入された後自由状態に戻るため、外径が結合部材２の内向き突部２９の内径より僅かに大きくなり、フェルール３が仮保持されるとともに搬送作業時においてフェルール３の仮保持された状態が維持される。しかし、この内向き突部２９と外向き突部３５の引っ掛かりは僅かであるため、取り外すことも可能である。
【００４７】
次に、仕切り蓋４について、図１、図２及び図７に基づき説明する。
仕切り蓋４は、配管Ｐが接続されていないときに継手本体１の配管差込口１６の入口部を気密に閉蓋するものであって、樹脂一体成形されている。この仕切り蓋４は、配管差込口１６を閉蓋する円板状の閉塞壁部４１と、閉塞壁部４１を一端側の側壁として内部にフェルール３を収納できる空間が形成された円筒壁部４２とを有する。また、この仕切り蓋４は、前記閉塞壁部４１と前記円筒壁部４２との連結部を成すともに、外面がカム面１９及びカム面１９の入口部の軸芯に垂直な壁面に密接されるシール壁部４３を有する。なお、この実施の形態において、カム面１９の入口部の軸芯に垂直な壁面は、軸部１４の端面である。
【００４８】
そして、シール壁部４３は、カム面１９に沿う外面を備えた円錐状壁部４３ａが軸心側に形成され、軸心に垂直なドーナツ型の垂直壁部４３ｂが外周側に形成され、円錐状壁部４３ａの軸心側が閉塞壁部４１の外周部に連結され、垂直壁部４３ｂの外周側が円筒壁部４２の端部に直角に交差して連結されている。また、閉塞壁部４１の外周端面と円錐状壁部４３ａの外面とは、カム面１９に沿う一定角度の傾斜面に形成されて連結されている。
【００４９】
また、このように形成された閉塞壁部４１の継手本体側側面には、気密試験や耐圧試験の際に配管差込口１６の内部から大きなガス圧力が作用する。このため、閉塞壁部４１は、結合部材２の方に膨張して変形する。このため、閉塞壁部４１を初めとして、強度の必要とする部分の壁部の肉厚を厚くすればよいが、閉塞壁部４１などの肉厚を厚くすると、その分管接続構造の軸方向寸法が大きくなる。また、肉厚を部分的に大きくすると樹脂成形時に樹脂が流れ難くなる恐れがある。
【００５０】
このために、本実施の形態では図７に示すように、閉塞壁部４１の結合部材２側の面に中心から放射状に８本の補強リブ４５が形成されている。また、この補強リブ４５の外周端面は、それぞれ前述のシール壁部４３の円錐状壁部４３ａに接続されている。これにより、閉塞壁部４１自身の強度が向上されるとともに、閉塞壁部４１と円錐状壁部４３ａとの連結強度が向上される。また、シール壁部４３の垂直壁部４３ｂと円筒壁部４２との交差状（この場合直交状）に連結される角部には、一片が垂直壁部４３ｂに連結され、この辺と直角の他の片が円筒壁部４２に連結される三角形状の補強リブ４６が前述の放射状の補強リブ４５と同一角度位置に形成されている。この三角形状の補強リブ４６は、垂直壁部４３ｂと円筒壁部４２との交差状に連結される角部の強度を向上させるためのものである。
【００５１】
また、仕切り蓋４は、部品としての搬送及び保管の段階において、前述のように管接続部２３の継手本体側の端部に仮保持されて一体化されているフェルール３の外側を覆うように、管接続部２３の継手本体側の端面に脱着可能に装着されている。この装着のために、円筒壁部４２の反閉塞壁部側の端部が、管接続部２３の端面の外周部に形成されている突出部２５内に嵌入される。また、仕切り蓋４の嵌入による装着を容易且つ確実にするために、円筒壁部４２の外周面には、円周方向に等間隔に、かつ、円筒壁部４２の軸方向全長に渡る断面三角形状の線状突起４７が形成されている。また、この線状突起４７の反閉塞壁部側の端縁は、図７（ｂ）に示すように面取りされている。このように装着される仕切り蓋４は、本発明におけるフェルール３を保護する保護部材を兼用するものである。ここでフェルール３を保護す保護部材とは、フェルール３の外表面が損傷を受けるのを防止するようにフェルール３の外側を覆うものであって、配管差込口１６を閉塞する機能を備えていないものを包含する概念である。
【００５２】
このように構成される仕切り蓋４の組み付けについて説明する。
仕切り蓋４は、結合部材２及びフェルール３の部品としての搬送管理の段階において、前述の要領でフェルール３が仮保持されて一体化された結合部材２に対し装着される。仕切り蓋４は、円筒壁部４２の反閉塞壁部側の端部が管接続部２３に形成された円筒状の突出部２５の内部に嵌入されることにより、結合部材２に対し脱着可能に装着される。このように、仕切り蓋４が結合部材２に対し装着されることによりフェルール３が仕切り蓋４の内部に収納された状態となるので、フェルール３が一体化された結合部材２を一組の部品として保管したり搬送したりする場合にフェルール３が損傷されることを防止することができる。
【００５３】
次に、配管Ｐが接続されるまでの管接続構造として、被接続装置に取り付けられた継手本体１に対し、仕切り蓋４を挟持するように結合部材２を締結する作業が次のように行われる。
【００５４】
継手本体１に対しては、前述のようにフェルール３が保持されるとともに仕切り蓋４が装着された状態の結合部材２が締結される。この締結に当っては、継手本体１のカム面１９に対し、仕切り蓋４のシール壁部４３における円錐状壁部４３ａの外面を当接させるとともに、シール壁部４３における垂直壁部４３ｂの継手本体側側面をカム面の入口外周の軸芯に垂直な壁面（すなわち、この実施の形態においては軸部１４の端面）に当接させる。同時に、結合部材２の雄ねじ部２３ａを継手本体１の雌ねじ部１３ａに対し螺合して、結合部材２を継手本体１に対し締結する。継手本体１に対する結合部材２の締結トルクは、トルク計などの適宜の手段により測定して予め定められた締結トルクに調整される。
【００５５】
また、このようにして結合部材２が継手本体１に対し締結されることにより、フェルール３が仕切り蓋４で覆われた状態のまま、仕切り蓋４のシール壁部４３の外面がカム面１９及び軸部１４の端面に密接される。また、円筒壁部４２の結合部材側端面が管接続部２３の継手本体側端面に密接されて、仕切り蓋４が継手本体１と結合部材２との間に挟持される。この結果、配管差込口１６は、閉塞壁部４１により気密に閉蓋される（図１参照）。また、閉塞壁部４１は、配管Ｐが接続される被接続装置の気密試験や耐圧試験のときに、ガス圧により外側に、すなわち、結合部材側に膨らむように変形することが避け難い。そこで、フェルール３が閉塞壁部４１により押圧されることがないように、閉塞壁部４１とフェルール３の先端部との間には膨張用の隙間Ｓ（図１参照）が設けられている。
【００５６】
次に、図１に示す仕切り蓋４が装着された状態から、図８に示すような配管接続状態にする配管接続方法について説明する。
継手本体１及び結合部材２により配管Ｐを接続するに際しては、先ず、継手本体１に対する結合部材２の締結を緩めて、仕切り蓋４を取り外す。結合部材２に取り付けられた仕切り蓋４は、軸方向における継手本体側に引き抜くことにより、円筒壁部４２の結合部材側端部が嵌入されていた円筒状の突出部２５の内部から引き抜かれ、仕切り蓋４が結合部材２から取り外される。次に、接続すべき配管Ｐを、フェルール３が仮保持された結合部材２の配管貫通孔２１及びフェルール３の挿通孔３１に貫挿させて結合部材２を配管Ｐに外装する。この外装作業は、フェルール３が仮保持された状態の結合部材２を継手本体１から分離した状態として配管Ｐに外装してもよいし、フェルール３が仮保持された状態の結合部材２を継手本体１に緩く螺合した状態としておいて、結合部材２の後方から配管Ｐを挿入するようにしてもよい。そして、配管Ｐの先端部をフェルール３の挿通孔３１を通して配管差込口１６に挿入し、その先端を段部１８の段差状の端面に当接させた状態として結合部材２を継手本体１に締結する。この螺合により図３に示すようにフェルール３の後端部が押圧面２８に当接した状態となる。
【００５７】
この状態から引き続き結合部材２を手回しで締め付けると、フェルール３における第１ノッチ３６前方の先端部分が配管Ｐと配管差込口１６との間に楔状に差し込まれ、配管Ｐが仮保持される。そして、結合部材２がさらに締め付けられると、押圧面２８の軸心側が後方へ拡がる傾斜面に形成されているので、フェルール３の薄肉部３８を中心として前後の部分が軸心側に曲がりやすくなる。したがって、フェルール３は、第２ノッチ３７の前部においては、薄肉部３８を中心にして前エッジ部が配管Ｐに食い込むように傾斜し、第２ノッチ３７の後部においては、薄肉部３８を中心にして後端の後エッジ部が配管Ｐに食い込むように傾斜する（図８参照）。
【００５８】
このようにして、フェルール３における前エッジ部及び後エッジ部の食い込みが所定量に達すると、図８に示すように、継手本体１の雌ねじ筒部１３の端部と円盤状スリット２２の継手本体側の面とが略一致する。また、このような状態まで結合部材２が締め付けられると、回転トルクが所定値に到達し、管状連結部２６が切断されて継手本体１の雌ねじ筒部１３から突出した状態にある把持部２４が切断される。これにより結合部材２の接続作業が完了する。
【００５９】
上記のように締結された配管接続部は、把持部２４が切断されるため誰でもが勝手に接続部を緩めることができないが、図９に示すような専用工具を用いることにより、この配管接続部を緩めることができる。
【００６０】
この専用工具６０は、図９に示すように、半円盤状の基体部６１に柄部６２が取り付けられている。基体部６１の半円状穴６３の内周半径は配管Ｐよりやや大径に形成されている。また、係合部として基体部６１の側面に、管接続部２３の４個の係合穴部５１の内の任意の隣り合う３個に係合可能な３個の円柱状の係合突部６４が形成されている。
【００６１】
そして、この専用工具６０の係合突部６４を管接続部２３の任意の隣り合う３個の係合穴部５１に係合させて、専用工具６０の柄部６２に力を入れて基体部６１を回転させることにより、管接続部２３を回転させて継手本体１との螺合を緩めることができ、配管Ｐを継手本体１から取り外すことができる。この配管接続解除方法によれば、配管Ｐを切断することなく、配管Ｐを接続状態から解放することができるので配管接続解除工事が簡単になる。また、継手本体１を残した状態で配管Ｐを取り外すとともに、結合部材２に仮保持されていたフェルール３を引き抜くことにより、この継手本体１に対し新たなフェルール３を用いて配管Ｐを再度接続することができる。
【００６２】
以上のように構成された仕切り蓋４を備えた本実施の形態に係る食い込み式管接続構造によれば、次のような効果を奏することができる。
（１）フェルール３は、継手本体１及び結合部材２とは別体物に形成された後、結合部材２に対して仮保持されるように構成されているので、フェルール３の加工が容易となり、フェルール３の加工速度を上げることができる。
【００６３】
（２）また、本実施の形態においては、フェルール３は、結合部材２及び継手本体１に対し別体物として形成されるともに、結合部材２の管接続部２３に対し仮保持されるが、フェルール３が結合部材２に仮保持された後に仕切り蓋４が装着されるので、フェルール３と結合部材２との一体化物が部品として搬送、保管、或いは、継手本体１に組み付けされる場合に、フェルール３の外表面が損傷される恐れがない。
【００６４】
（３）また、仕切り蓋４は、仕切り蓋４の軸心と結合部材２の軸心とを芯合わせして、円筒壁部４２の反閉塞壁部側の端部を結合部材２の円筒状の突出部２５に向けて押圧することにより、結合部材２に対し仕切り蓋４を容易に装着することができる。
【００６５】
（４）また、仕切り蓋４は、円筒壁部４２における反閉塞壁部側の端部の外周面に軸方向に延びる複数の線状突起４７が形成されており、この端部が管接続部２３の円筒状の突出部２５の内側に圧入されて装着されている。したがって、線状突起４７の形状、寸法を適宜に設定することにより圧入作業が容易になるとともに、適正な装着強度を確保することができる。
【００６６】
（５）また、本実施の形態に係る弁及び管継手は、上記の管接続構造が管継手部に用いられているので、フェルール３の加工性、組み込み作業性が向上してコスト軽減が図られる。
【００６７】
（６）また、本発明に係る冷凍装置は、このような弁或は管継手が冷媒回路に用いられているので、冷媒回路に用いる弁や管継手のコストを軽減することができるとともに、フェルール３の損傷による弁や管継手の不良が低減される。
【００６８】
（実施の形態２）
次に、実施の形態２について図１０に基づき説明する。なお、図１０には、実施の形態１と同一の要素には同一の符合を付しその説明を省略する。
【００６９】
実施の形態２は、実施の形態１において、フェルール３が結合部材２との一体物として製作されているものを示す。また、この場合においては、フェルール３の後端部と結合部材２の管接続部２３の前端部とが径方向の薄肉部７１を介して一体化されている。なお、フェルール３の後端面と押圧面２８との間には、実施の形態１における凹部２７に代わる空間部７２が形成されている。
【００７０】
このように、結合部材２との一体物として形成されたフェルール３は、結合部材２が継手本体１に対し締結される配管接続工程において薄肉部７１において結合部材２から分離され、分離された以降においては実施の形態１におけるフェルール３と同様に機能して配管Ｐを接続することができる。また、この実施の形態においても、フェルール３の外側に空間を大きくとることができるので、加工が容易となり、加工速度を向上させることができる。
【００７１】
（実施の形態３）
次に、実施の形態３について、図１１に基づき説明する。
実施の形態３は、実施の形態１において、仕切り蓋４の円筒壁部４２における反閉塞壁部側の端部の外周面に設けていた４個の線状突起４７に代えて、管接続部２３の円筒状の突出部２５の内周面に等間隔に複数の断面略３角形の４個の線状突起７４を設けたものである。この線状突起７４は、実施の形態１における線状突起４７と同様の機能を有するものであり、形状、寸法を適宜に設定することにより圧入作業が容易になるとともに、適正な装着強度を確保することができる。
【００７２】
（実施の形態４）
次に、実施の形態４について、図１２に基づき説明する。
実施の形態４は、実施の形態３において、管接続部２３の継手本体側の側面から継手本体側に突出する円筒状の突出部２５を変更したものである。すなわち、実施の形態３においては、仕切り蓋４の円筒壁部４２における反閉塞壁部側の端部が突出部２５の内部に嵌入されるように構成されていた。しかし、この実施の形態においては、管接続部２３の端部に設ける円筒状の突出部２５をやや小径にするととともに、この円筒状の突出部２５の外周面に線状突起７５を設け、円筒壁部４２における反閉塞壁部側の端部が円筒状の突出部２５の外周側に嵌合されるように構成されている。このように構成されている場合も、実施の形態３と略同様に円筒壁部４２と突出部２５とを嵌合させて仕切り蓋４を結合部材２に固定することができる。
【００７３】
（実施の形態５）
次に、実施の形態５について、図１３に基づき説明する。
実施の形態１においては、仕切り蓋４における円筒壁部４２の反閉塞壁部側の端部が、管接続部２３の継手本体側の側面から継手本体側に突出する円筒状の突出部２５内に嵌合されていたが、実施の形態５は、この嵌合による結合構造を、螺合による結合に変更したものである。すなわち、この実施の形態においては、図１３に示すように、仕切り蓋４における円筒壁部４２の反閉塞壁部側の端部の外周面に雄ねじ７７が形成されている。また、管接続部２３の円筒状の突出部２５の内周面に、前記雄ねじ７７に螺合される雌ねじ７８が形成されている。このように構成した場合は、管接続部２３の円筒状の突出部２５の雌ねじ７８に対し仕切り蓋４の円筒壁部４２の端部に形成された雄ねじ７７を螺合することにより、結合部材２に対し仕切り蓋４を容易に装着することができる。
【００７４】
(実施の形態６)
次に、実施の形態６について、図１４に基づき説明する。
実施の形態１においては、仕切り蓋４の円筒壁部４２における反閉塞壁部側の端部が、管接続部２３の継手本体側の側面から継手本体側に突出する円筒状の突出部２５内に嵌合されていたが、実施の形態５は、この嵌合による結合構造を、圧入変形による結合に変更したものである。すなわち、この実施の形態においては、図１４に示すように、仕切り蓋４における円筒壁部４２の反閉塞壁部側の端面の近傍の外周面に径方向外向きの環状突部８１が形成されている。また、管接続部２３の円筒状の突出部２５の開口端部の内周面に径方向内向きの環状突部８２が形成されている。この環状突部８１,８２は、フェルール３の後端部の仮保持と同様に、径方向外向きの環状突部８１が径方向内向きの環状突部８２の内側に対し変形されながら圧入されるように構成されている。このように構成すると、仕切り蓋４の軸心と結合部材２の軸心とを芯合わせして、円筒壁部４２の反閉塞壁部側の端部を結合部材２の円筒状の突出部２５に向けて押圧することにより、結合部材２に対し仕切り蓋４を容易に装着することができる。
【００７５】
（実施の形態７）
次に、実施の形態７について、図１５に基づき説明する。なお、図１５は、実施の形態７の食い込み式管接続構造に係り、結合部材に取り付けられるフェルールと仕切り蓋と分解して示した状態図である。
【００７６】
実施の形態６においては、管接続部２３の円筒状の突出部２５の開口端部の内周面に径方向内向きの環状突部８２に対し、仕切り蓋４における円筒壁部４２の反閉塞壁部側の端面の近傍の径方向外向きの環状突部８１が圧入される装着方法がとられていたが、本実施の形態では、環状突部８１，８２を螺合させて装着させる構造とされている。すなわち、この実施の形態においては、径方向内向きの環状突部８２の内周端面に雌ねじ８２ａが形成されるとともに、径方向外向きの環状突部８１の外周端面に前記径方向内向きの環状突部８２の内周面に形成された雌ねじ８２ａに螺合する雄ねじ８１ａが形成されている。したがって、この実施の形態においては、内向きの環状突部８２の内周端面の雌ねじ８２ａに対し外向きの環状突部８１の外周端面の雄ねじ８１ａが螺合されることにより、外向きの環状突部８１が内向きの環状突部８２の奥に挿入され、結合部材２に対し仕切り蓋４を容易に装着することができる。
【００７７】
（実施の形態８）
次に、実施の形態８について、図１６及び図１７に基づき説明する。
この実施の形態においては、仕切り蓋４の円筒壁部４２に、結合部材側の端部から結合部材２に向けて軸方向に延びる複数の脚部材８５を形成し、この脚部材８５を管接続部２３に設けた軸方向孔に嵌入させるように構成されている。また、この実施の形態においては、脚部材８５を嵌入させる軸方向孔として、係合穴部５１が兼用されている。ただし、この場合における係合穴部５１は、管接続部２３を軸方向に貫通させており、脚部材８５が貫通された係合穴部５１に対し継手本体側から挿入できるように構成されている。また、脚部材８５は、係合穴部５１に嵌入される幅寸法Ｈ（図１７（ａ）参照）に形成されている。このように構成すると、仕切り蓋４の円筒壁部４２の端部から軸方向に延びる複数の脚部材８５を管接続部２３の複数の軸方向孔としての係合穴部５１に嵌入されることにより、仕切り蓋４を結合部材２に脱着自在に装着することができる。
【００７８】
（変形例）
上記各実施の形態において以下のように変更することもできる。
・仕切り蓋４の結合部材２への装着構造については、脱着可能なものであれば上記実施の形態に限定されることなく他の構造としてもよい。また、仕切り蓋４に代えて配管差込口１６を閉塞する機能を持たない保護部材が用いられたものも本願発明に包含される。
【００７９】
・また、フェルール３を継手本体１及び結合部材２とは別体の物とした場合におけるフェルール３と結合部材２との一体化構造についても、前述の実施の形態のような圧入方式に限定されるものではない。例えば、各実施の形態に示した仕切り蓋４と結合部材２の管接続部２３への装着構造に倣って、ねじ込み等の他の構造としてもよい。
【００８０】
・フェルール３は、前述の実施の形態においては、結合部材２と別体物として形成された後、結合部材２に対し仮保持するように形成されるか、又は、結合部材２と一体物として形成されているが、従来の独立フェルールのように結合部材２に仮保持することなく継手本体１と結合部材２との間に挟着されるような構成としてもよい。この場合、フェルール３は、１個の部材から構成されるものでも、複数の部材から構成されるもの何れとしでもよい。また、フェルール３は、保護部材としての仕切り蓋４が結合部材２に取り付けられている限り、仕切り蓋４により結合部材から脱落しないように保持されているように構成することが好ましい。
【００８１】
・実施の形態１〜４において、線状突起４７，７４、７５は、形状、寸法、数は、仕切り蓋４の円筒壁部４２と円筒状の突出部２５との嵌合の容易性及び適正な装着強度を得られるように適宜変更することができる。また、断面略三角形状の線状突起４７に代えて他の形状の突起としてもよい。
【００８２】
・実施の形態４において、管接続部２３の円筒状の突出部２５の外周面に線状突起７５を設けているが、この線状突起７５に代えて仕切り蓋４の円筒壁部４２の内周面に線状突起を設けるようにしてもよい。また、この線状突起７５の形状、寸法、数を適宜に選択することにより、嵌入強度を調節するようにしてもよい。
【００８３】
・実施の形態４のように、仕切り蓋４における円筒壁部４２の反閉塞壁部側の端部が、管接続部２３の継手本体側の側面から継手本体側に突出する円筒状の突出部２５の外側に被さるように構成されている場合において、実施の形態５に倣って円筒壁部４２の反閉塞壁部側の端部と管接続部２３の円筒状の突出部２５とを螺合による結合に変更してもよい。
【００８４】
・実施の形態８において、脚部材８５を嵌入させる軸方向孔は、専用工具６０の係合突部６４を係合させるための穴である係合穴部５１と兼用させているが、この係合穴部５１とは別に脚部材８５を嵌入させる軸方向孔を設けてもよい。また、脚部材８５及び軸方向孔の形状、寸法、数を適宜に選択することにより、嵌入強度を調節することができる。
【００８５】
・本体側結合部材として機能する継手本体１において、ソケット部１２には被接続装置の配管Ｐａがロー付けされる構造となっているが、ソケット部１２の外周に雄ねじを形成し、被接続装置内の閉鎖弁等の機器類に直接継手本体１を取り付ける構造としてもよい。
【００８６】
・結合部材２は、配管Ｐの接続完了の時点において管接続部２３と把持部２４とに分割されない構造としてもよい。
【産業上の利用可能性】
【００８７】
本発明は、冷凍装置、空気調和装置、給湯器等の温水装置、給水装置、一般の製造設備などにおける冷媒回路、水回路、ガス回路などに使用される食い込み式管接続構造に対し適用することができる。また、本発明を適用した食い込み式管接続構造は、配管同士の接続、閉鎖弁等の弁における管継手部、その他各種装置における管継手部に適用することができる。また、本発明を適用した食い込み式管接続構造が対象とする配管は、銅管、ステンレス管などの金属管を初め樹脂配管をも包含する。
【図面の簡単な説明】
【００８８】
【図１】本発明の実施の形態１に係る食い込み式管接続構造の部分断面図であって、配管を接続しないときに仕切り蓋を取り付けた状態図である。
【図２】同食い込み式管接続構造における結合部材に対しフェルールと仕切り蓋とが取り付けられた状態図であって、（ａ）は全体断面図であり、（ｂ）は（ａ）におけるＡ部拡大図である。
【図３】同食い込み式管接続構造の部分断面図であって、配管接続開始の状態図である。
【図４】同食い込み式管接続構造における継手本体の単体図面であって、（ａ）は側面図であり、（ｂ）は（ａ）におけるＢ−Ｂ断面図である。
【図５】同食い込み式管接続構造における結合部材の単体図面であって、（ａ）は側面図であり、（ｂ）は（ａ）におけるＣ−Ｃ断面図である。
【図６】同食い込み式管接続構造におけるフェルールの単体図面であって、（ａ）は側面図であり、（ｂ）は（ａ）におけるＤ−Ｄ断面図である。
【図７】同食い込み式管接続構造における仕切り蓋の単体図面であって、（ａ）は側面図であり、（ｂ）は（ａ）におけるＥ−Ｅ断面図である。
【図８】同食い込み式管接続構造の部分断面図であって、配管接続完了時の状態図である。
【図９】同食い込み式管接続構造に用いられる専用工具の斜視図である。
【図１０】本発明の実施の形態２の食い込み式管接続構造に係り、結合部材に対しフェルールと仕切り蓋とが取り付けられた状態図である。
【図１１】本発明の実施の形態３の食い込み式管接続構造に係り、結合部材に対しフェルールと仕切り蓋とが取り付けられた状態図である。
【図１２】本発明の実施の形態４の食い込み式管接続構造に係り、結合部材に対しフェルールと仕切り蓋とが取り付けられた状態図である。
【図１３】本発明の実施の形態５の食い込み式管接続構造に係り、結合部材に対しフェルールと仕切り蓋とが取り付けられた状態図である。
【図１４】本発明の実施の形態６の食い込み式管接続構造に係り、結合部材に対しフェルールと仕切り蓋とが取り付けられた状態図である。
【図１５】本発明の実施の形態７の食い込み式管接続構造に係り、結合部材に取り付けられるフェルールと仕切り蓋と分解して示した状態図である。
【図１６】本発明の実施の形態８の食い込み式管接続構造に係り、結合部材に対しフェルールと仕切り蓋とが取り付けられた状態図である。
【図１７】同食い込み式管接続構造における仕切り蓋の単体図面であって、（ａ）は側面図であり、（ｂ）は（ａ）におけるＦ−Ｆ断面図である。
【符号の説明】
【００８９】
１…継手本体、２…結合部材、３…フェルール、４…仕切り蓋、１１…基部、１３…雌ねじ筒部、１３ａ…雌ねじ部、１６…配管差込口、１９…カム面、２３…管接続部、２３ａ…雄ねじ部、２５…（円筒状の）突出部、２８…押圧面、４１…閉塞壁部、４２…円筒壁部、４７，７４，７５…線状突起、７７，８１ａ…雄ねじ、７８、８２ａ…雌ねじ、８１、８２…環状突部、８５…脚部材。
【図１】
2010025294.tif 000003
【図２】
2010025294.tif 000004
【図３】
2010025294.tif 000005
【図４】
2010025294.tif 000006
【図５】
2010025294.tif 000007
【図６】
2010025294.tif 000008
【図７】
2010025294.tif 000009
【図８】
2010025294.tif 000010
【図９】
2010025294.tif 000011
【図１０】
2010025294.tif 000012
【図１１】
2010025294.tif 000013
【図１２】
2010025294.tif 000014
【図１３】
2010025294.tif 000015
【図１４】
2010025294.tif 000016
【図１５】
2010025294.tif 000017
【図１６】
2010025294.tif 000018
【図１７】
2010025294.tif 000019
【手続補正書】
【提出日】平成20年7月30日(2008.7.30)
【手続補正１】
【補正対象書類名】図面
【補正対象項目名】図１
【補正方法】変更
【補正の内容】
【図１】
2010025294.tif 000020
【手続補正２】
【補正対象書類名】図面
【補正対象項目名】図３
【補正方法】変更
【補正の内容】
【図３】
2010025294.tif 000021
【手続補正３】
【補正対象書類名】図面
【補正対象項目名】図８
【補正方法】変更
【補正の内容】
【図８】
2010025294.tif 000022
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
継手本体と、継手本体に螺合されて組み付けされる結合部材と、継手本体と結合部材との間に挟着されるフェルールと、結合部材の継手本体側端部に対し脱着可能に構成された、フェルールを内部に収納することができる保護部材とを備え、
前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、
前記結合部材は、前記雌ねじ部に螺合される雄ねじ部が外周に形成された管接続部と、管接続部の側面に形成されたフェルールの後端部を押圧する押圧面とを有するとともに、前記保護部材を取り付けたまま継手本体に螺合可能に構成され、
前記フェルールは、前記保護部材が結合部材に取り付けられている状態において保護部材の内部に収納される
ことを特徴とする食い込み式管接続構造。
【請求項２】
継手本体と、継手本体に螺合されて組み付けされる結合部材と、継手本体と結合部材との間に挟着されるフェルールと、継手本体と結合部材との間に挟持される仕切り蓋とを備え、
前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、
前記結合部材は、前記雌ねじ部に螺合される雄ねじ部が外周に形成された管接続部と、管接続部の側面に形成されたフェルールの後端部を押圧する押圧面とを有し、
前記仕切り蓋は、前記フェルールを収納することのできる空間を内部に有する円筒壁部と、この円筒壁部の一端を閉塞するものであって前記配管差込口を閉塞する閉塞壁部とを有するとともに、前記円筒壁部の反閉塞壁部側の端部が前記管接続部の側部に対し脱着可能に構成され、
前記フェルールは、仕切り蓋が結合部材に装着された状態において前記仕切り蓋の内部に収納される
ことを特徴とする食い込み式管接続構造。
【請求項３】
前記フェルールは、結合部材に対し別体物として形成されたものであって、結合部材に仮保持されて一体化されていることを特徴とする請求項２記載の食い込み式管接続構造。
【請求項４】
前記フェルールは、前記管接続部の継手本体側端部に一体物として形成されるとともに、配管接続工程において前記管接続部から分離されるように構成されていることを特徴とする請求項２記載の食い込み式管接続構造。
【請求項５】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成され、前記円筒壁部における反閉塞壁部側の端部がこの突出部の内側に圧入されるように構成されている
ことを特徴とする請求項３又は４記載の食い込み式管接続構造。
【請求項６】
前記仕切り蓋の円筒壁部は、前記円筒壁部における反閉塞壁部側の端部の外周面に、軸方向に延びる１個或いは複数の線状突起又は１個或いは複数の突起が形成されていることを特徴とする請求項５記載の食い込み式管接続構造。
【請求項７】
前記管接続部の円筒状の突出部は、内周面に軸方向に延びる１個或いは複数の線状突起又は１個或いは複数の突起が形成されていることを特徴とする請求項５記載の食い込み式管接続構造。
【請求項８】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成され、この円筒状の突出部が前記円筒壁部における反閉塞壁部側の端部の内側に圧入されるように構成されている
ことを特徴とする請求項３又は４記載の食い込み式管接続構造。
【請求項９】
前記仕切り蓋の円筒壁部は、前記円筒壁部における反閉塞壁部側の端部の内周面に軸方向に延びる１個或いは複数の線状突起又は１個或いは複数の突起が形成されていることを特徴とする請求項８記載の食い込み式管接続構造。
【請求項１０】
前記管接続部の円筒状の突出部は、外周面に軸方向に延びる１個或いは複数の線状突起又は１個或いは複数の突起が形成されていることを特徴とする請求項８記載の食い込み式管接続構造。
【請求項１１】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の内周面には雌ねじが形成され、
さらに、前記円筒壁部における反閉塞壁部側の端部の外周面には、前記円筒状の突出部の開口端部の雌ねじに螺合される雄ねじが形成されている
ことを特徴とする請求項３又は４記載の食い込み式管接続構造。
【請求項１２】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の外周面には雄ねじが形成され、
さらに、前記円筒壁部における反閉塞壁部側の端部の内周面には、前記円筒状の突出部の開口端部の雄ねじに螺合される雌ねじが形成されている
ことを特徴とする請求項３又は４記載の食い込み式管接続構造。
【請求項１３】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の開口端部に内向きの環状突部が形成され、
さらに、前記円筒壁部における反閉塞壁部側の端部には、この内向きの環状突部に対し圧入される外向きの環状突部が形成されている
ことを特徴とする請求項３又は４記載の食い込み式管接続構造。
【請求項１４】
前記管接続部に対し前記円筒壁部の反閉塞壁部側の端部が脱着可能とされる構成として、
前記管接続部の継手本体側端部における外周部には、継手本体側の側面から継手本体側に突出する円筒状の突出部が形成されるとともに、この円筒状の突出部の開口端部に内向きの環状突部が形成され、さらに、この内向きの環状突部の内周端面に雌ねじが形成され、
また、前記円筒壁部における反閉塞壁部側の端部には、外向きの環状突部が形成されるとともに、この外向きの環状突部の外周端面に前記内向きの環状突部の内周端面に形成された雌ねじに螺合する雄ねじが形成されている
ことを特徴とする請求項３又は４記載の食い込み式管接続構造。
【請求項１５】
前記管接続部に対し前記円筒壁部の反閉塞壁部側の端部が脱着可能とされる構成として、
前記管接続部には、所定円周上に複数の軸方向孔が形成され、
さらに、前記円筒壁部は、前記結合部材側の端部から結合部材に向けて軸方向に延びる複数の脚部材を有し、この脚部材は前記軸方向孔に嵌入されるように構成されている
ことを特徴とする請求項３又は４記載の食い込み式管接続構造。
【請求項１６】
請求項１〜１５の何れか１項に記載の管接続構造を管継手部に用いた弁。
【請求項１７】
請求項１〜１５の何れか１項に記載の管接続構造を管継手部に用いた食い込み式管継手。
【請求項１８】
請求項１６記載の弁を冷媒回路に用いたことを特徴とする冷凍装置。
【請求項１９】
請求項１７記載の食い込み式管継手を冷媒回路に用いたことを特徴とする冷凍装置。
【手続補正２】
【補正対象書類名】明細書
【補正対象項目名】０００７
【補正方法】変更
【補正の内容】
【０００７】
本発明に係る食い込み式管接続構造は、継手本体と、継手本体に螺合されて組み付けされる結合部材と、継手本体と結合部材との間に挟着されるフェルールと、結合部材の継手本体側端部に対し脱着可能に構成された、フェルールを内部に収納することができる保護部材とを備え、前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、前記結合部材は、前記雌ねじ部に螺合される雄ねじ部が外周に形成された管接続部と、管接続部の側面に形成されたフェルールの後端部を押圧する押圧面とを有するとともに、前記保護部材を取り付けたまま継手本体に螺合可能に構成され、前記フェルールは、前記保護部材が結合部材に取り付けられている状態において保護部材の内部に収納されることを特徴とする。
【手続補正３】
【補正対象書類名】明細書
【補正対象項目名】０００８
【補正方法】変更
【補正の内容】
【０００８】
このような構成上の特徴を有する食い込み式管接続構造によれば、フェルールは、保護部材が結合部材に取り付けられている限り、結合部材と保護部材とで形成される空間内に収納されているので、結合部材と一体化された状態で部品として取扱うことができる。また、このような状態で部品として取り扱うと、搬送、保管、組付け作業等において損傷を受けることがなく、フェルールを紛失することの恐れもない。また、フェルールは、この発明においては結合部材と一体物として加工されたものでもよく、或いは、結合部材と別体物として加工されたものでもよく、いずれの場合にあっても狭いところでの加工が不要となるので、加工速度が速くなる。また、フェルールは、結合部材と別体物として加工された場合にあっては、１個の部材、或いは、複数の部材から構成されるものでもよい。また、結合部材と継手本体とを組み合わせた状態においても保護部材を取り付けている限りフェルールに傷が付くことを防ぐことができる。
【手続補正４】
【補正対象書類名】明細書
【補正対象項目名】０００９
【補正方法】変更
【補正の内容】
【０００９】
また、本発明に係る食い込み式管接続構造は、継手本体と、継手本体に螺合されて組み付けされる結合部材と、継手本体と結合部材との間に挟着されるフェルールと、継手本体と結合部材との間に挟持される仕切り蓋とを備え、前記継手本体は、結合部材を螺合する雌ねじ部が内周面に形成された雌ねじ筒部とこの雌ねじ筒部の側壁を成す基部とを有し、基部の軸心部には配管差込口が形成されるとともに配管差込口の入口部にはフェルールの先端部を押し付けるカム面が形成され、前記結合部材は、前記雌ねじ部に螺合される雄ねじ部が外周に形成された管接続部と、管接続部の側面に形成されたフェルールの後端部を押圧する押圧面とを有し、前記仕切り蓋は、前記フェルールを収納することのできる空間を内部に有する円筒壁部と、この円筒壁部の一端を閉塞するものであって前記配管差込口を閉塞する閉塞壁部とを有するとともに、前記円筒壁部の反閉塞壁部側の端部が前記管接続部の側部に対し脱着可能に構成され、前記フェルールは、仕切り蓋が結合部材に装着された状態において前記仕切り蓋の内部に収納されることを特徴とする。
【手続補正５】
【補正対象書類名】明細書
【補正対象項目名】００１０
【補正方法】変更
【補正の内容】
【００１０】
このような構成上の特徴を有する食い込み式管接続構造によれば、フェルールは、仕切り蓋が結合部材に取り付けられている限り、結合部材と仕切り蓋とで形成される空間内に収納されているので、結合部材と一体化された状態で部品として取扱うことができる。また、このような状態で部品として取り扱うと、搬送、保管、組付け作業等において損傷を受けることがなく、フェルールを紛失することの恐れもない。また、フェルールは、この発明においては結合部材と一体物として加工されたものでもよく、或いは、結合部材と別体物として加工されたものでもよく、いずれの場合にあっても狭いところでの加工が不要となるので、加工速度が速くなる。また、フェルールは、結合部材と別体物として加工された場合にあっては、１個の部材、或いは、複数の部材から構成されるものでよい。
【手続補正６】
【補正対象書類名】明細書
【補正対象項目名】００１１
【補正方法】変更
【補正の内容】
【００１１】
また、上記何れの食い込み式管接続構造においても、前記フェルールは、結合部材と別体物として形成されたものであって、結合部材に仮保持されて一体化されているようにしてもよい。この場合においては、結合部材と一体化された部品とし取り扱うことがより容易になる。
また、上記食い込み式管接続構造において、前記フェルールは、前記管接続部の継手本体側端部に一体物として形成されるとともに、配管接続工程において前記管接続部から分離されるように構成してもよい。この場合も、仕切り蓋がフェルールを覆うように取り付けられるので、仕切り蓋によりフェルールの損傷を防ぐことができる。
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２７
【補正方法】変更
【補正の内容】
【００２７】
本発明に係る食い込み式管継手によれば、フェルールが、結合部材に対して仮保持されるとともに、結合部材に脱着可能に装着される保護部材或いは保護部材としての仕切り蓋の内部に収納されているので、結合部材と一体化された状態で部品として取扱うことができる。また、このような状態で部品として取り扱うと、搬送、保管、組付け作業等において損傷を受けることがなく、フェルールを紛失することの恐れもない。